(57)【要約】      （修正有）【課題】フェンス内外の双方向からの雑草の侵入を防止し、耐久性が高く、設置が容易で、且つ比較的安価なフェンスに取り付ける防蔦機能を有する防草シートを提供する。【解決手段】フェンスに取り付けて使用する方形の防草シート１０であり、防草シート１０の中央部にフェンスの支柱下部に取り付けるための貫通孔１１と貫通孔から長さ方向の一方端に至るスリット１２を有し、このスリットを開閉可能な中央部ファスナー１３を備える。また長さ方向の両端部に複数個のハトメ１６と、幅方向の両端部に複数の面ファスナー１４を備える。【選択図】図１
0003194776.tif 000002
【実用新案登録請求の範囲】
【請求項１】
方形のシートからなる防草シートであって、前記シートの中央部に貫通孔と該貫通孔から前記シートの長さ方向の一方端に至るスリットを有し、前記スリットを開閉可能な中央部ファスナーを備え、前記長さ方向の両端部に複数個のハトメを備え、幅方向の両端部に端部ファスナーを備えたことを特徴とする防草シート。
【請求項２】
幅方向の左右の前記端部ファスナーは相互に前記シートの表裏面の逆側に設けられ、且つ相互に着脱可能な面ファスナーであることを特徴とする請求項１に記載の防草シート。
【請求項３】
方形のシートからなる防草シートであって、前記シートの中央部に貫通孔と該貫通孔から前記シートの長さ方向の一方端に至るスリットを有し、前記スリットを開閉可能な中央部ファスナーを備え、前記長さ方向の両端部に複数個のハトメを備え、幅方向の両端部に複数個のハトメを備えたことを特徴とする防草シート。
【請求項４】
前記シートが取り付けるフェンスの支柱間隔以上の幅を有することを特徴とする請求項１乃至３のいずれか一項に記載の防草シート。
【請求項５】
前記シートが不織布であることを特徴とする請求項１乃至４のいずれか一項に記載の防草シート。
【請求項６】
前記シートが織布であることを特徴とする請求項１乃至４のいずれか一項に記載の防草シート。
【請求項７】
前記シートは目開きが平均５ｍｍ以下の網目状シートであることを特徴とする請求項１乃至６のいずれか一項に記載の防草シート。
【請求項８】
前記シートが遮光性のシートであることを特徴とする請求項１乃至７のいずれか一項に記載の防草シート。
【考案の詳細な説明】
【技術分野】
【０００１】
本考案は、フェンス等に取り付け、雑草等がフェンス境界を超えてはみ出すのを防止する防草シートであり、特に格子状フェンスや網状フェンス、例えば金網フェンスへの蔦植物の巻き付きを防止するような防蔦機能を有する防草シートに関するものである。
【背景技術】
【０００２】
一般的に、施設や私有地等への第３者の侵入を阻止、田畑への動物の侵入を阻止、もしくは境界の明示等の目的で、各種フェンスが設置されている。また、このフェンス際に雑草等が繁茂しフェンスを覆っている光景もよく見受けられる。
【０００３】
例えば金網フェンスで代表されるような目の開いた格子状フェンスや網状フェンスも良く使用されているが、金網フェンスの場合は、生い茂った草がフェンスの開いた目を通して境界を越えて進入したり、はみ出したりすることがある。また、蔓のような蔦植物は様々なものに巻き付いて成長するため、金網フェンスが設置されている場所の蔓は、金網に巻き付いて成長することになる。これらの繁茂した雑草等は美観を損なうほか、施設に直接被害を及ぼすこともあるので、何らかの対処が必要となる。
【０００４】
特に雑草等の繁茂を抑制する対策がとられていないようなフェンスでは、これらに対処するために年数回の除草作業が必要となる。この際に金網フェンスに巻き付いた蔓を取り除く場合は、刈り取り機や鎌は金網に刃が接触するため使用することができず、人手による手作業で取り除いているのが現状である。このため、金網フェンスに巻き付いた蔓の取り除きが必要な除草作業は多大な労力と時間を要する作業となっている。
【０００５】
そこで以前より、除草剤を用いたり、防草シートや防草フェンスを用いたりして雑草等が繁茂しないようにする提案がなされており、実施されているものも少なからずあると思われる。前者の除草剤を用いる方法は環境の問題から実施可能場所が限定され、定期的な除草剤散布等も必要なので労力や時間もそれなりに要する作業である。後者の防草シート等を用いる方法は、環境面の影響が少ないので、あまり実施場所を選ばず、防草シート等を取り付ければある程度の期間の防草効果が見込める方法である。
【０００６】
例えば、後者の方法として、特許文献１には、金網フェンスへの蔓巻き付きを防止するために、金網フェンスに取り付ける、金網への蔓の巻き付きを防止するネットと、このネット下方の地面近傍に蔓の伸びを阻止する折り返し材と、このネット上方に蔓の伸びを阻止する板材からなる防止具が提案されている。
【０００７】
また、特許文献２には、蔦植物が金網フェンスを越えて進入するのを防止するために、金網フェンスに取り付ける、蔓巻き防止用シートが提案されている。図６に、この蔓巻き防止用シートを金網フェンスに取り付けた状態を示す。
【０００８】
この蔓巻き防止用シート２０は、地面から立ち上がるように装着される遮光性シート２２と、この遮光シート２２の上端に連結される透光シート２１とこれらに裏打ちされる補強用シート２３からなる長尺シートである。
【０００９】
蔓巻き防止用シート２０の下部をシート端末抑え用部材２５と固定杭２４で地面に固定し、補強用シート２３に設けた連結用貫通孔２７に針金等を通して金網４と連結する。また、蔓巻き防止用シート２０同士を横に連続させて接続させる場合には、蔓巻き防止用シート２０同士を重ね合わせて、互いの連結用貫通孔２７を合わせ、複合板２６で蔓巻き防止用シート２０を金網４ごと挟んでボルトナット２８でフェンス１に固定する。
【００１０】
また、特許文献３には、蔦植物の侵入を防止するために、上方に蔓が乗り越え難いような返し部と、下方に蔓が地面を這って侵入し難いようなスカート部を有する防草ネットを取り付けた防草フェンスが提案されている。
【先行技術文献】
【特許文献】
【００１１】
【特許文献１】特開２００８−２４０４０４号公報
【特許文献２】特開２０１１−２４４８３号公報
【特許文献３】特開２０１３−９６２１４号公報
【考案の概要】
【考案が解決しようとする課題】
【００１２】
特許文献１〜３のような防草シートや防草フェンスを用いれば、金網フェンスへの蔓等の蔦植物が絡まることも無く、フェンスを越えて雑草等が侵入するのも阻止することが可能であると考えられる。
【００１３】
しかしながら、特許文献１、３の防草フェンスの場合は、主にフェンスの一方向からの蔓の侵入を考慮しており、フェンス内外の双方向からの蔓の侵入を阻止するためには、フェンス内外に同様の防草フェンスを設置する必要があり、防草フェンス自体も簡易な設備ではないので、コスト面に問題がある。特に特許文献３の防草フェンスは、フェンスを新設する場合は良くても、既設の金網フェンス等に付設するのであればコスト面で採用し難い。また、防草フェンスの一部をフェンス１の金網４面よりも突出させる必要があるが、敷地境界にあるフェンス等では敷地外へ突出させられないので、敷地外からの蔓の侵入阻止を効果的に行うのが困難である。
【００１４】
また、特許文献２の蔓巻き防止用シートの場合は、防草シートを取り付けるだけなので、簡易に取り付け可能であり、コスト面では上記の防草フェンスより有利である。ただし、簡易に取り付けられるだけ、防草シートの取り付け強度等に不安が残る。また、フェンス内外の双方向からの蔓の侵入については考慮されていないものと思われる。
【００１５】
即ち、本考案の課題は、フェンス内外の双方向からの蔦植物の侵入を考慮し、設置した場合の耐久性が高く、設置が容易で、且つ比較的安価な、フェンスに取り付ける防蔦機能を有する防草シートを提供することにある。
【課題を解決するための手段】
【００１６】
本考案は、フェンスに取り付け、フェンスに蔦植物が巻き付くのを防止するような防蔦機能を有する防草シートであって、フェンス内外の両面に、容易に取り付けることが可能な防草シートである。
【００１７】
第１の考案は、方形のシートからなる防草シートであって、前記シートの中央部に貫通孔と該貫通孔から前記シートの長さ方向の一方端に至るスリットを有し、前記スリットを開閉可能な中央部ファスナーを備え、前記長さ方向の両端部に複数個のハトメを備え、幅方向の両端部に端部ファスナーを備えたことを特徴とする防草シートである。
【００１８】
第２の考案は、幅方向の左右の前記端部ファスナーは相互に前記シートの表裏面の逆側に設けられ、且つ相互に着脱可能な面ファスナーであることを特徴とする第１の考案に記載の防草シートである。
【００１９】
第３の考案は、方形のシートからなる防草シートであって、前記シートの中央部に貫通孔と該貫通孔から前記シートの長さ方向の一方端に至るスリットを有し、前記スリットを開閉可能な中央部ファスナーを備え、前記長さ方向の両端部に複数個のハトメを備え、幅方向の両端部に複数個のハトメを備えたことを特徴とする防草シートである。
【００２０】
第４の考案は、前記シートが取り付けるフェンスの支柱間隔以上の幅を有することを特徴とする第１乃至第３のいずれかの考案に記載の防草シートである。
【００２１】
第５の考案は、前記シートが不織布であることを特徴とする第１乃至第４のいずれかの考案に記載の防草シートである。
【００２２】
第６の考案は、前記シートが織布であることを特徴とする第１乃至第４のいずれかの考案に記載の防草シートである。
【００２３】
第７の考案は、前記シートは目開きが平均５ｍｍ以下の網目状シートであることを特徴とする第１乃至第６のいずれかの考案に記載の防草シートである。
【００２４】
第８の考案は、前記シートが遮光性のシートであることを特徴とする第１乃至第７のいずれかの考案に記載の防草シートである。
【考案の効果】
【００２５】
本考案の防草シートは、フェンスへ取り付ける場合には、フェンス面より大きく突出させることなく、小さな設置容積で取り付けることができるので、大概のフェンスに使用できる。
【００２６】
さらに、シートのハトメと中央部ファスナーを利用して、フェンス内外の両面をシートで覆うように容易に取り付けることが可能であるため、フェンス内外の双方向からの蔦植物等の侵入を防止することができる。
【００２７】
また、防草シートをフェンスの支柱の箇所に取り付けることが可能なので、風荷重が加わってもフェンスの支柱で荷重を受けることができ、耐風などの耐久性が高い。また、シート中央部の貫通孔と両端から雨水は排出されるので雨水が保持されての腐食等の問題は少ない。なお、目開きの大きいシートを用いると雨水の排水がより容易となる。
【００２８】
また、遮光性シートを用いることにより、雑草の生育等を弱めることができる場合もある。
【００２９】
また、端部ファスナーや両端部のハトメを利用して、防草シート同士を接続できるので、長いフェンスにも容易に設置できる。
【図面の簡単な説明】
【００３０】
【図１】本考案の防草シートの一例を示す説明図である
【図２】本考案の防草シートをフェンスに取り付ける場合の説明図である。
【図３】本考案の防草シートの１枚をフェンスに取り付けた状態を示す説明図である。
【図４】本考案防草シートの複数枚をフェンスに取り付けた状態を示す説明図である。
【図５】本考案の防草シートの複数枚を支柱間隔の大きいフェンスに取り付けた状態を示す説明図である。
【図６】従来の蔓巻き防止用シートの外観図である。
【考案を実施するための形態】
【００３１】
図１に本考案の防草シートの一例を示す。本考案の防草シート１０は、図１に示すように、方形の耐候性を有するシートであり、シートの中央部に貫通孔１１が設けられ、貫通孔１１から長さ方向の一方端の幅の中央部に至るスリット１２が設けられており、スリット１２を左右に開閉可能な中央部ファスナー１３を備えている。また、幅方向の両端部には端部ファスナー１４を備えており、長さ方向の両端部に複数個のハトメ１６を備えている。さらに、幅方向の両端部にも複数個のハトメ１６を備えている。
【００３２】
本考案の防草シート１０は、フェンス１に取り付けて使用され、蔦植物の巻き付きを防止するような防蔦機能を有し、雑草等がフェンス境界を超えてはみ出すのを防止する防草シートである。図２〜図４に本考案の防草シートをフェンスへ取り付けて使用する場合の説明図を示す。図２はフェンスへの取り付け方法、図３は１枚の防草シートをフェンスへ取り付けた状態、図４は複数枚の防草シートをフェンスへ取り付けた状態を示している。
【００３３】
本考案の防草シート１０をフェンス１へ取り付ける場合は、図２に示すように、中央部ファスナー１３を全解放してスリット１２を全開にし、スリット１２の位置をフェンス１の支柱３に合わせて、フェンス１の下側の胴縁５と地面の間に、防草シートの約半分を差し入れる。この場合、防草シート１０の貫通孔１１が支柱３の位置に至るまで差し入れる。
【００３４】
次に、図３に示すように、防草シート１０を、フェンス１を挟み込むように折り曲げ、防草シート１０の中央部ファスナー１３を留めてスリット１２を閉じ、防草シート１０の長さ方向の端部にある（図３のシート１０の上部にある）ハトメ１６を利用してフェンス１の金網４に固定する。このように、防草シート１０をフェンス１の支柱３の箇所に取り付け、フェンス１内外の両面に防草シート１０が配置されるように取り付けて使用する。
【００３５】
中央部ファスナー１３は面ファスナーでも線ファスナーでも点ファスナーであっても、ある程度の強度と耐候性を有するファスナーであれば適宜使用可能である。ボタンやフック等の点ファスナーの場合は、スリット１２を全面に亘って閉じるために複数個の点ファスナーを並べて用いることが望ましい。フェンス１に取り付ける場合、中央部ファスナーはフェンス１０のどちら側に配することも可能であるが、フェンス１の一方、外部の人間が立ち入らない側に配した方が、中央部ファスナーが不用意に開閉されるリスクを回避しやすい。
【００３６】
フェンス１への取り付けは、フェンス１を挟み込む様に折り曲げた防草シート１０の長さ方向のハトメ１６をフェンス１の上方で合わせて、ハトメ１６を利用して金網３に結束バンド１７を用いて固定するのが望ましい。折り曲げた防草シート１０の内面に風雨が吹き込むのは強度、耐候性の面であまり良くないので、折り曲げた防草シート１０の上部は相互に密着するように固定することが望ましい。
【００３７】
防草シート１０をこのハトメ１６を利用して金網３に固定する場合の結束具としては、ある程度の耐久性が見込めるのであれば、結束バンド、針金、紐、止め金具等、特に限定されないが、締め切りタイプの結束バンドを用いると固定が容易で、しかも外部から解除され難いので望ましい。
【００３８】
次に、図４に示すように、他の防草シート１０をフェンス１の他の支柱３の位置に、上記と同様にして取り付け、隣り合う防草シート１０を端部ファスナー１４で相互に固定する。これを繰り返して、必要枚数の防草シート１０をフェンス１に取り付ける。
【００３９】
また、幅方向の両端部に備えたハトメ１６を用いて、隣り合う防草シート１０を相互に固定することも可能であり、これを繰り返して、必要枚数の防草シート１０をフェンス１に取り付けても良い。
【００４０】
このように防草シート１０をフェンス１に取り付ける場合は、フェンス１の両面に防草シート１０の厚さ分の設置容積を必要とするだけなので、本考案の防草シート１０は、特許文献１〜３の従来技術とは異なり、実質的にフェンス１の設置面積からはみ出さずに取り付けることができる。従って、本考案の防草シート１０は、多くのフェンス１に設置することが可能であり、フェンス１の内外の両面から蔦植物が絡み付くことを防止でき、雑草等がフェンス境界を超えてはみ出すのを防止することができる。
【００４１】
このように、複数枚の防草シート１０を連なるようにフェンス１に取り付けるが、フェンスに取り付けた防草シート１０の内側に風雨が吹き込むと悪影響を及ぼす場合があるので、端に当たる防草シート１０の幅方向の端部は、幅方向の端部に設けられたハトメ１６を利用して結束バンド１７等で綴じ合わせて金網４に固定することが望ましい。
【００４２】
また、この防草シート１０の両側に他の防草シート１０が連なっている場合には隣同士で防草シート１０を重ね合わせて端部ファスナー１４等で接続されているので、あまり問題がないが、必要な場合は、個々に防草シート１０の幅方向の端部に設けられたハトメ１６を利用して結束バンド１７等で綴じ合わせ、金網４に固定することができる。
【００４３】
図１に示すように、幅方向の両端に端部ファスナー１４とハトメ１６を両方備えている防草シートは、上記の様にフェンス１に取り付けることができるので、使用勝手が良いが両方備えると、製造コストが掛かるので、幅方向の両端に端部ファスナー１４もしくはハトメ１６の一方だけとしても良い。
【００４４】
ハトメ１６のみの場合は、隣り合う防草シート１０の接続と、端に当たる防草シート１０の幅方向の端部の処理の両方が可能である。
【００４５】
端部ファスナー１４のみの場合は、隣り合う防草シート１０の接続は可能であるが、端に当たる防草シート１０の幅方向の端部の処理が困難である。この場合は長さが防草シート１０とほぼ同寸法で、防草シート１０とほぼ同様の材質の方形シートであり、幅方向の一方の端部に複数の端部ファスナー１４を備え他端部に複数個のハトメ１６を備えた端部処理用シートを用いると良い。この端部処理シートを端の防草シート１０に端部ファスナー１４で取り付け、この端部処理シートに設けた複数個のハトメ１６を利用して防草シート１０の幅方向の端部の処理を行うことができる。
【００４６】
フェンス１に連続して取り付ける場合は、端部処理が必要な防草シート１０は端に当たる一部なので、この様な端部処理用シートの必要枚数も少なくて済む、従って、幅方向の両端部に端部ファスナー１４とハトメ１６の両方備えた防草シート１０のみを用いるよりも端部処理用シートを使用する方が製造コストの面で有利である。
【００４７】
このような防草シートを金網フェンスに取り付けて、実験した結果、防草シートの上端が地面から８００ｍｍの高さがあれば、蔦植物の金網への絡まりを防ぐ防蔦効果及び雑草のフェンスを越えた侵入を防ぐ防草効果があることが認められた。また、同様に目開きの無いシートと網目のピッチが約５ｍｍ□（充填率約０．６５）と約１０ｍｍ□（充填率約０．５）のシートの三種類のシートを使用して実験した結果、網目のピッチ約５ｍｍのシートを用いた場合は、蔦植物の絡みつきが少なく、目開き無しのシートを用いた場合とほぼ同様に防蔦効果があることが認められた。
【００４８】
これらのことから、本考案の防草シートは折り曲げて使用するので、防草シートの長さ方向の寸法は１６００ｍｍ以上が望ましい。一方、防草シートはフェンスの高さ以内に収まることが望ましく、コスト面からも、短い方が望ましいので、汎用的には防草シートの長さは１６００ｍｍ〜２０００ｍｍとすることが望ましい。
【００４９】
また、防草シート１０は、防蔦、防草のため、蔦植物が絡みにくいように目開きが無いか、もしくは目開きが平均５ｍｍ以下と目開きが小さく、目の詰まった不織布や織布のシートを用いるのが望ましい。
【００５０】
また、防草シートの幅は、隣接する防草シートに取り付けられた端部ファスナーが、フェンスの支柱間の中央部で重なる程度の寸法が望ましい。一般的なフェンスの支柱間隔からすると汎用的な防草シートの幅は、１８５０ｍｍ〜２１００ｍｍとすることが望ましい。
【００５１】
また、防草シート１０は直射日光や風雨に曝されるため、耐候性が必要である。また、風圧を受けるうえ、雑草等が、貫通するのも防止しなければないので、ある程度の強度と、ある程度のシート厚さも必要である。総合的には、ポリエステル系樹脂、ポリオレフィン系樹脂等の耐候性や強度の高い材質のシートを用いるのが望ましい。なお、防草シート１０は折り曲げて使用されるため、折り曲げられるような柔軟性のあるシートを用いるか、もしくは、柔軟性の乏しいシートでは中央に折り目加工を施して置くことが望ましい。
【００５２】
折り曲げた防草シート１０の内面に雨が吹き込んでも、防草シート１０の中央部に貫通孔１１が設けられており、フェンス１に取り付けた場合は、この最下部に位置する貫通孔１１より排水されるので、折り曲げた防草シート１０内部に雨水が保持されての腐食等の問題は少ないが、必要なら下部に位置する箇所に排水用に別の貫通孔を設けても良い。また、目開きのあるシートを用いる場合は保水の面の問題は少ない。
【００５３】
以上のことから、本考案の防草シート１０は目開きが平均５ｍｍ以下の目の詰まったシートがフェンス１内外の両面に配置されるので、フェンス１内外の両面から伸びる蔦植物がフェンス１に巻き付くのを防止できる。また、フェンス１内外の両面から伸びる雑草がフェンス１を越えて侵入するのを防止する効果も期待できる。
【００５４】
また、本考案の防草シート１０は、フェンス１内外の両面を挟む様に取り付けられるので、従来例のようにフェンス１の片面にのみ取り付けられている場合よりも、風圧を受ける場合にはフェンス１が常にバックアップになるので取り付け強度の面でも有利である。
【００５５】
また、本考案の防草シート１０は、防蔦、防草のため、蔦植物が絡みにくいように目の詰まったシートを使用するため、風を受けた場合の風圧荷重が大きくなるが、強度の高いフェンスの支柱３が防草シート１０の中央に来るように取り付けることができ、フェンスの支柱で風圧荷重をバックアップできるので、耐風の面で有利である。目開きのあるシートの方が、風が通り抜けるため掛かる風圧が小さくなる面では有利であるが、シートが重ね合わされるように取り付けられるので、この防草シート１０内面に風が吹き込むことによる不利益もあり、防蔦効果の確保が優先されるため、大きな目開きのシートが採用できない。よって、耐風の面において、目開きの有るシートを用いる効果は限定的である。
【００５６】
また、防草シートとして、遮光性シートを用いると、日陰を形成することにより周囲の雑草の生長を遅らせる効果が得られる場合がある。
【００５７】
図５にフェンスの支柱間隔が広い場合の防草シートの取り付け例を示す。上記では、防草シート１０として、フェンス１の支柱３間隔以上の幅寸法のものを使用する例を説明したが、図５に示すように、幅寸法が支柱３間隔より狭い防草シート１０をフェンス１に取り付ける場合には、補助防草シート１８を用いると良い。補助防草シート１８は幅が防草シート１０同士での不足分をカバーする寸法で、長さが防草シート１０とほぼ同寸法で、防草シート１０とほぼ同様の材質の方形シートであり、幅方向の両端部に複数の端部ファスナー１４を備え、長さ方向の両端部に複数個のハトメ１６を備えている。幅方向の両端にハトメ１６を設けた補助防草シート１８と防草シート１０の組み合わせでも良い。
【００５８】
補助防草シート１８もフェンス１の下側の胴縁５と地面との間に長さ方向の半分を差し入れる。次いで、補助防草シート１８を、フェンス１を挟み込むように折り曲げ、補助防草シート１８のハトメ１６を用いてフェンス１の金網４に固定する。また、補助防草シート１８と隣り合う防草シート１０とを端部ファスナー１４で相互に固定する。もしくは、隣り合う防草シート１０とをハトメ１６で相互に固定する。
【００５９】
このように、防草シート１０と補助防草シート１８を利用することで、各種の支柱間隔のフェンスに対応することができる。各種の支柱間隔のフェンスに対応が必要な場合には、補助防草シート１８の方が、中央ファスナー１３が不要な分、防草シート１０より制作が容易であるので、定寸法の防草シート１０と各種寸法の補助防草シート１８の組み合わせで制作するのが合理的である。
【符号の説明】
【００６０】
１  フェンス
２  基礎
３  支柱
４  金網
５  胴縁（枠）
１０  防草シート
１１  貫通孔
１２  スリット
１３  中央部ファスナー
１４  端部ファスナー
１６  ハトメ
１７  結束バンド
１８  補助防草シート
２０  蔓巻き防止用シート
２１  透光シート
２２  遮光シート
２３  補強用シート
２４  固定杭
２５  シート端末抑え用部材
２６  複合板
２７  連結用貫通孔
２８  ボルトナット
【図１】
0003194776.tif 000003
【図２】
0003194776.tif 000004
【図３】
0003194776.tif 000005
【図４】
0003194776.tif 000006
【図５】
0003194776.tif 000007
【図６】
0003194776.tif 000008